(57)【要約】【課題】片手で容易にパウチに開口を形成し、内容物を注入および注出しやすくすることが可能なパウチを提供する。【解決手段】パウチ１０は、少なくとも表面１１と裏面１２とを有し、左右にそれぞれ設けられた側部シール部１７、１８を有する。左右の側部シール部１７、１８は、それぞれ他の部分より幅広の幅広シール部２５、２６を有し、幅広シール部２５、２６は、それぞれパウチ１０の下部に設けられている。幅広シール部２５、２６には、それぞれ指を挿入可能な切り込み２８が設けられている。【選択図】図１
2017114516.tif 000002
【特許請求の範囲】
【請求項１】
少なくとも表面と裏面とを有し、左右にそれぞれ設けられた側部シール部を有するパウチであって、
前記左右の側部シール部は、それぞれ他の部分より幅広の幅広シール部を有し、
前記幅広シール部は、それぞれ前記パウチの下部に設けられており、
前記幅広シール部には、それぞれ指を挿入するための切り込みまたは孔が設けられていることを特徴とするパウチ。
【発明の詳細な説明】
【技術分野】
【０００１】
本発明は、少なくとも表面と裏面とを有するパウチに関する。
【背景技術】
【０００２】
自立性袋、ガゼット型袋等の種々の形態からなる、プラスチック製の軟包装材から構成された袋容器（以下、パウチとも称する）が知られている。パウチは、例えば、ジュース類、果汁類、ゼリー状飲料、栄養ドリンク剤等の飲料品や、調味料、その他種々の飲食品などの、流動性を有する内容物を収容するために利用されている。
【０００３】
このようなパウチのうち、液体等の内容物が充填された状態でそれ自体が自立性のあるスタンディングパウチが知られている（特許文献１参照）。スタンディングパウチは、可撓性の積層フィルムからなる胴部フィルムの下部に山形に折り曲げた底部フィルムを挟み込んで周囲を加熱シールしたもので、内容物として液体を充填すると底部フィルムが拡開して自立できるようになっており、従来より、ボトルやカートンなどの保形性容器の代替容器として、あるいは、ボトルに内容物を補充する詰め替え用容器として好適に用いられている。
【先行技術文献】
【特許文献】
【０００４】
【特許文献１】特許第４６５９９６３号公報
【発明の概要】
【発明が解決しようとする課題】
【０００５】
ところで、従来このようなスタンディングパウチは、内容物を注ぎ出して空となった後、廃棄されることが一般的である。一方、スタンディングパウチに充填されていた内容物が例えば濃縮液からなる場合、スタンディングパウチ内の濃縮液を容器に注ぎ出した後、濃縮液を所定量の水等で薄めることが行われる。この場合、空のスタンディングパウチを用いて所定量の水等を計量して、濃縮液に対して注ぐことができれば便利である。しかしながら、従来、空となったスタンディングパウチを再度開口させることはあまり考慮されていないため、空のスタンディングパウチを開口し、スタンディングパウチに濃縮液を注入したり濃縮液を注出したりする作業が行いにくいという課題がある。
【０００６】
本発明はこのような点を考慮してなされたものであり、片手で容易にパウチに開口を形成し、内容物を注入および注出しやすくすることが可能な、パウチを提供することを目的とする。
【課題を解決するための手段】
【０００７】
本発明は、少なくとも表面と裏面とを有し、左右にそれぞれ設けられた側部シール部を有するパウチであって、前記左右の側部シール部は、それぞれ他の部分より幅広の幅広シール部を有し、前記幅広シール部は、それぞれ前記パウチの下部に設けられており、前記幅広シール部には、それぞれ指を挿入可能な切り込みまたは孔が設けられていることを特徴とするパウチである。
【発明の効果】
【０００８】
本発明によれば、切り込みまたは孔に指を挿入した状態でパウチに内容物を注入したり、パウチに充填された内容物を注出したりすることができるので、パウチに内容物を注入および注出する作業を容易に行うことができる。
【図面の簡単な説明】
【０００９】
【図１】図１は本発明の一実施の形態によるパウチを示す正面図。
【図２】図２は本発明の一実施の形態によるパウチを示す背面図。
【図３】図３は本発明の一実施の形態によるパウチを用いる際の作用を示す斜視図。
【発明を実施するための形態】
【００１０】
図１および図２により本発明の一実施の形態について説明する。なお、図１および図２は、内容物が充填される前、つまり内容物が充填されていない状態のパウチを示す図である。
【００１１】
図１および図２に示すように、パウチ１０は、内容物を充填した後、自立可能なスタンディングパウチ型のパウチとなっており、別個である表面（表面フィルム）１１と裏面（裏面フィルム）１２とが対向するように配置されている。また、パウチ１０は、上縁１３と、上縁１３と対向する下縁１４と、上縁１３と下縁１４との間で延びる第一縁（第一側縁）１５と第二縁（第二側縁）１６とを備えている。このうち第一縁１５に沿って第一側部シール部１７が設けられ、第二縁１６に沿って第二側部シール部１８が設けられている。表面１１と裏面１２との間には、折り目２３ｂで２つ折りにされた底部ガセット部２３が挟み込まれている。
【００１２】
なお、本明細書中、Ｄ１方向とは、下縁１４から上縁１３に向かう方向をいい、Ｄ２方向とは、第一縁１５から第二縁１６に向かう方向をいう。Ｄ１方向は、平面内でＤ２方向に直交している。本実施の形態において、第一縁１５および第二縁１６はそれぞれＤ１方向に平行に延び、上縁１３および下縁１４はそれぞれＤ２方向に平行に延びている。
【００１３】
表面１１および裏面１２は、第一縁１５において第一側部シール部１７により接合され、第二縁１６において第二側部シール部１８により接合されている。パウチ１０の上縁１３には、開口された開口部が形成されている。なお、パウチ１０に内容物が充填された後、上縁１３の開口部がシールされて上部シール部２０（仮想線）が形成される。
【００１４】
底部ガセット部２３は、表面１１および裏面１２に接合されている。すなわち底部ガセット部２３のうち、折り目２３ｂで分断された一方の領域は、舟底形の底部シール部１９において表面１１にシールされ、他方の領域は、舟底形の底部シール部１９において裏面１２にシールされている。また底部ガセット部２３には、その両側下端近傍に半円状の切り欠き２３ａが設けられている。表面１１と裏面１２とは、切り欠き２３ａに対応する位置で互いに直接シールされている。下縁１４の左右両端には、隅部が面取りされて、それぞれ外に凸の円弧状である円弧形状部２７が設けられている。なお、パウチ１０の下縁１４から折り目２３ｂまでの長さをＬ３とする場合、切り欠き２３ａはパウチ１０の下縁１４からパウチ１０の上方に向かってＬ３の１／２（半分）より上に設けられていることが好ましい。このことにより、自立性を向上させることができる。
【００１５】
パウチ１０の第一縁１５および第二縁１６には、それぞれ略Ｖ字状に切り欠いた開封開始手段（ノッチ）２１が設けられている。パウチ１０に内容物が充填され、上部シール部２０が形成された後、開封開始手段２１から表面１１および裏面１２を切断することにより、パウチ１０に破断開口部３６（図３参照）が形成される。表面１１および／または裏面１２には、表面１１および／または裏面１２を貫通しないように、例えばハーフカット線等の易開封手段２２が設けられている。易開封手段２２を設けることにより、表面１１および裏面１２を容易に切断して開封することが可能となる。この場合、易開封手段２２は、第一縁１５から第二縁１６に向かって延びていても良い。
【００１６】
図１および図２に示すパウチ１０においては、左右の側部シール部１７、１８は、それぞれ他の部分より幅広の幅広シール部２５、２６を有している。すなわち、第一側部シール部１７は、第一幅広シール部２５を有し、第二側部シール部１８は、第二幅広シール部２６を有している。幅広シール部２５、２６は、側部シール部１７、１８の他の部分と連設して形成されるとともに、側部シール部１７、１８の他の部分よりも幅方向内側にはみ出している。幅広シール部２５、２６は、側部シール部１７、１８をヒートシールするときに同時に形成されるものであり、この幅広シール部２５、２６においても表面１１と裏面１２とが互いにシールされている。
【００１７】
幅広シール部２５、２６は、それぞれ略矩形形状を有しており、上側シールライン３１と、下側シールライン３２と、内側シールライン３３とを有している。この場合、上側シールライン３１および下側シールライン３２はそれぞれＤ２方向に沿って延び、内側シールライン３３はＤ１方向に沿って延びている。しかしながら、上側シールライン３１、下側シールライン３２および内側シールライン３３のうち少なくとも１つが、Ｄ１方向またはＤ２方向に傾斜していても良い。また、上側シールライン３１、下側シールライン３２および内側シールライン３３のうち少なくとも１つが、直線状ではなく、曲線状であっても良い。
【００１８】
幅広シール部２５、２６は、それぞれパウチ１０の下部に設けられている。ここでパウチ１０の下部とは、パウチ１０の高さ方向の長さをＬ１としたときに、パウチ１０の下縁１４からパウチ１０の上方（上縁１３側）に向かってＬ１の１／２（半分）までの領域をいう。すなわち幅広シール部２５、２６は、パウチ１０の高さ方向中央に位置する中央線ＣＬよりも下方に位置している。具体的には、幅広シール部２５、２６の上端（上側シールライン３１）が中央線ＣＬよりも下方（下縁１４側）に位置している。
【００１９】
また幅広シール部２５、２６は、底部ガセット部２３の折り目２３ｂよりも上方に位置していることが好ましい。具体的には、幅広シール部２５、２６の下端（下側シールライン３２）が折り目２３ｂよりも上方（上縁１３側）に位置している。これにより、パウチ１０に内容物を充填した後、底部ガセット部２３を開かせることができる。なお、幅広シール部２５、２６の下側シールライン３２は、パウチ１０の下縁１４からＬ１の１／４以上１／３以下の距離となる範囲内に設けることが好ましい。
【００２０】
また、パウチの幅方向の長さをＬ２としたときに、幅広シール部２５、２６の内側シールライン３３は、それぞれパウチ１０の第一縁１５又は第二縁１６からＬ２の１／５以上１／４以下の距離となる範囲内に設けることが好ましい。また、側部シール部１７、１８のうち幅広シール部２５、２６以外の部分の幅をｗ１とし、幅広シール部２５、２６の最も幅が広い部分の幅をｗ２としたときに、幅ｗ２は、幅ｗ１の５倍以上８倍以下とすることが好ましく、６倍以上７倍以下とすることがより好ましい。。さらに、幅広シール部２５、２６の高さｈ１は、パウチ１０の高さ方向の長さＬ１の１／６以上１／３以下とすることが好ましく、１／５以上１／４以下とすることがより好ましい。
【００２１】
なお、図１および図２において、左右の側部シール部１７、１８および幅広シール部２５、２６は、それぞれ左右で線対称な形状を有しているが、これに限らず、非対称な形状としても良い。例えば、左右の側部シール部１７、１８の幅が互いに異なっていても良く、あるいは、左右の幅広シール部２５、２６が上下方向に互いにずれて配置されていても良い。
【００２２】
左右の幅広シール部２５、２６には、それぞれ指を挿入するための切り込み２８が形成されている。すなわち各切り込み２８は、各幅広シール部２５、２６の上側シールライン３１と、下側シールライン３２と、内側シールライン３３とによって取り囲まれた領域に設けられている。各切り込み２８は、表面１１および裏面１２を貫通している。左右の切り込み２８の平面形状は、それぞれパウチ１０の幅方向中央側に向けて開口する略Ｃ字状の曲線からなる。そして、切り込み２８は、略Ｃ字の凸の部分が側縁を向くように形成されている。略Ｃ字状の切り込み２８によって取り囲まれた部分には、それぞれ内側領域２９が形成されている。左右の内側領域２９をそれぞれ片手の指によって押すことにより、内側領域２９がフラップ状に反対側に折れ曲り、これにより、指を挿入するための挿入孔が形成される。
【００２３】
なお、切り込み２８の高さ（最大高さ）ｈ２は、２０ｍｍ以上４０ｍｍ以下とすることが好ましく、２５ｍｍ以上３５ｍｍ以下とすることがより好ましい。切り込み２８の幅（最大幅）ｗ３は、１５ｍｍ以上３０ｍｍ以下とすることが好ましく、２０ｍｍ以上２５ｍｍ以下とすることがより好ましい。切り込み２８の大きさを上記範囲とすることにより、内側領域２９を折れ曲げた際、指を挿入可能な大きさの挿入孔が形成されるとともに、この挿入孔に指を挿入したときにパウチ１０を安定して保持することができる。
【００２４】
図１および図２において、各切り込み２８の上端２８ａは下端２８ｂよりもパウチ１０の幅方向外側に位置している。このため、パウチ１０を把持しやすく、且つ、パウチ１０を開口しやすくすることができる。しかしながら、これに限らず、各切り込み２８の上端２８ａおよび下端２８ｂが第一縁１５（第二縁１６）から同一の距離に位置するようにしても良い。また、各切り込み２８の上端２８ａが、下端２８ｂよりもパウチ１０の幅方向中央側に位置していても良い。
【００２５】
図１および図２において、左右の幅広シール部２５、２６にそれぞれ切り込み２８が設けられているが、切り込み２８に代えて、指を挿入するための孔が設けられていてもよい。この場合、孔は、表面１１および裏面１２を貫通する一定の大きさの開口からなる。この孔の平面形状は、例えば円形状、半円形状、楕円形状、半楕円形状、多角形形状等としても良い。
【００２６】
次に、表面１１および裏面１２の層構成について説明する。表面１１および裏面１２は、少なくとも基材層とシーラント層とが積層された積層フィルムで構成される。このうち基材層を構成する材料としては、ポリエチレンテレフタレート、ナイロン、ポリプロピレン等を用いることができる。また、シーラント層を構成する材料としては、ポリエチレンやポリプロピレン等を用いることができる。積層フィルムは、さらに印刷層、支持体、バリア層などが設けられていてもよい。支持体としては、基材層と同様のプラスチックや紙等を用いることができる。バリア層としては、アルミニウム箔などの金属箔や、アルミニウムなどの無機物や酸化珪素や酸化アルミニウムなどの無機酸化物等を用いることができる。
【００２７】
また、表面１１と裏面１２とは、一枚のフィルムで構成してもよく、二枚以上のフィルムで構成してもよい。表面１１と裏面１２とは、不透明であってもよく、透明であっても良い。
【００２８】
上述したパウチ１０は、流動性を有する内容物を収容するためのものである。流動性を有する限りにおいて、パウチ１０に充填される内容物が特に限られることはない。例えば、パウチ１０に充填されている内容物として、ジュース類、果汁類、ゼリー状飲料、栄養ドリンク剤等の飲料品や、液体状または粉末状の調味料、その他種々の飲食品等を挙げることができる。
【００２９】
次にこのような構成からなる本実施の形態の作用について説明する。なお、以下においては、パウチ１０に充填する内容物として、濃縮液を用いた場合を例にとって説明する。
【００３０】
はじめに、表面１１用の積層フィルム、裏面１２用の積層フィルムおよび底部ガセット部２３用の積層フィルムを作製する。積層フィルムは、基材層とシーラント層とが積層された構成をもつ。この場合、基材層の原反を準備し、基材層を連続的に搬送させながら基材層に印刷を施す。次に帯状の基材層を連続的に搬送させながら、溶融押出ラミネート法を用いて基材層にシーラント層を積層して積層フィルムを作製する。なお、ドライラミネート法を用いて基材層にシーラント層を積層してもよい。
【００３１】
次に、このようにして得られた長尺状の表面１１用の積層フィルムおよび裏面１２用の積層フィルムを各々連続的に搬送しながら、レーザー加工することにより各積層フィルムに易開封手段２２であるハーフカット線を形成する。レーザー加工の種類としては、炭酸ガスレーザーのほか、ＹＡＧレーザー、半導体レーザー、アルゴンイオンレーザー等が可能であり、特に限定するものではない。
【００３２】
次に帯状の表面１１用の積層フィルムと、帯状の裏面１２用の積層フィルムとを互いのシーラント層が向き合うようにして重ね合わせながら連続的に搬送する。また、折り目２３ｂに対応する位置で二つ折りにした帯状の底部ガセット部２３用の積層フィルムを、表面１１用の積層フィルムと裏面１２用の積層フィルムとの間に挟持する。その後、表面１１用の積層フィルムと、裏面１２用の積層フィルムと、底部ガセット部２３用の積層フィルムとに対してヒートシールを施すことにより、第一幅広シール部２５を有する第一側部シール部１７と、第二幅広シール部２６を有する第二側部シール部１８と、底部シール部１９とをそれぞれ形成する。
【００３３】
続いて、第一側部シール部１７および第二側部シール部１８にそれぞれ開封開始手段２１を形成するとともに、第一幅広シール部２５および第二幅広シール部２６にそれぞれ切り込み２８を形成する。その後、表面１１と裏面１２と底部ガセット部２３とを個々の包装袋毎に切断して個片化することにより、パウチ１０を得ることができる。
【００３４】
このようにして得られたパウチ１０には、上方の開口部から濃縮液が挿入され、パウチ１０の開口部がヒートシールされて密封され、上部シール部２０が形成される。
【００３５】
使用にあたって、使用者は、パウチ１０の開封開始手段２１から表面１１および裏面１２を切断して開封する。この場合、表面１１および裏面１２において、それぞれ開封開始手段２１から破断（開封）が開始され、表面１１および裏面１２に開封開始手段２１から始まる破断線が形成される。表面１１および裏面１２の破断線によって、パウチ１０の破断開口部３６（図３参照）が形成される。
【００３６】
次に、使用者は、パウチ１０の破断開口部３６から容器に充填されていた濃縮液を全て注出し、パウチ１０を空とする。
【００３７】
続いて、使用者は、片手の２本の指（例えば親指と中指）を用いて、左右の切り込み２８内に位置する内側領域２９をそれぞれ押し込む。これにより、内側領域２９が反対側に折れ曲り、左右の幅広シール部２５、２６にそれぞれ指を挿入するための挿入孔が形成される。
【００３８】
次に使用者は、左右の幅広シール部２５、２６の挿入孔にそれぞれ指を挿入した状態で、手を軽く握り、これらの指同士を接近させる動作を行う。このとき、幅広シール部２５、２６の挿入孔同士も接近するので、これに連動して表面１１および裏面１２がそれぞれ互いに遠ざかるように外側に折れ曲がる（図３参照）。これにより、パウチ１０の破断開口部３６が大きく開かれる。
【００３９】
次いで、使用者は、左右の幅広シール部２５、２６の挿入孔に指を挿入した状態で、大きく開かれた破断開口部３６からパウチ１０に所定量の水（薄め液）を注入する。なお、パウチ１０の内側に図示しない計量線を予め設けておき、パウチ１０に注入される水の量が一定の値となるようにしても良い。
【００４０】
その後、使用者は、左右の幅広シール部２５、２６の挿入孔に指を挿入した状態で、パウチ１０に充填された水を濃縮液の入った容器に注入することにより、濃縮液を所望の濃度まで薄めることができる。このように、左右の幅広シール部２５、２６の挿入孔に指を挿入した状態でパウチ１０を傾けることにより、パウチ１０に充填された水を安定して注ぎ出すことができる。
【００４１】
以上説明したように、本実施の形態によれば、パウチ１０の左右の幅広シール部２５、２６は、それぞれパウチ１０の下部に設けられており、幅広シール部２５、２６には、それぞれ指を挿入するための切り込み２８が設けられている。そして使用者は、切り込み２８の内側にある内側領域２９を指によって押し込み、幅広シール部２５、２６に挿入孔を形成し、その後この２つの挿入孔に片手の指をそれぞれ挿入する。この場合、挿入孔に挿入した指同士を近づけることによりパウチ１０の破断開口部３６を大きく開くことができる。これにより、手で容易にパウチ１０に開口を形成し、水等の内容物を空のパウチ１０に注入したり、あるいは充填された水等の内容物をパウチ１０から注出したりすることが容易となる。また、内容物の充填されたパウチ１０を片手で安定して保持することができる。
【００４２】
他方、比較例として、左右の幅広シール部２５、２６と切り込み２８とがそれぞれパウチ１０の上部に設けられている場合、幅広シール部２５、２６の挿入孔に挿入した指同士を近づけたとしても、パウチ１０の破断開口部３６を大きく開くことは難しい。また、この場合、パウチ１０を傾けて充填された内容物を注出する作業が不安定となるおそれもある。
【００４３】
（パウチの変形例）
上述の実施の形態において、パウチ１０がガセット袋型のパウチとなっている例を示したが、これに限らず、底部ガセット部２３をもたない平パウチ型のパウチであってもよい。
【００４４】
また、上述の実施の形態では、パウチ１０は、上縁１３、下縁１４、第一縁１５および第二縁１６がいずれも直線である長方形形状である場合を例にとって説明したが、これに限られるものではない。例えばパウチ１０が正方形形状であっても良く、あるいは、上縁１３、下縁１４、第一縁１５および第二縁１６の一部または全部が曲線であっても良い。
【符号の説明】
【００４５】
１０        パウチ
１１        表面
１２        裏面
１３        上縁
１４        下縁
１５        第一縁
１６        第二縁
１７        第一側部シール部
１８        第二側部シール部
１９        底部シール部
２０        上部シール部
２１        開封開始手段
２３        底部ガセット部
２５        第一幅広シール部
２６        第二幅広シール部
２８        切り込み
２９        内側領域
【図１】
2017114516.tif 000003
【図２】
2017114516.tif 000004
【図３】
2017114516.tif 000005